(57)【特許請求の範囲】
【請求項１】
複数本の弦が張設される胴本体を備え、この胴本体の上面で弾弦部分の前縁側に演奏者側に向かって傾斜するカット部を形成するとともに、前記胴本体の上面で弾弦部分の後縁側に後方に向かって傾斜するカット部を形成したことを特徴とする大正琴。
【請求項２】
請求項１記載の大正琴において、
胴本体の上面で弾弦部分の前縁側と後縁側に形成されるカット部の傾斜角度は、演奏者側に最も近い弦または最も遠い弦を弾くときの弓の水平面に対する傾き角度と略等しいかまたはこれより大きいことを特徴とする大正琴。
【請求項３】
請求項１または２記載の大正琴において、
胴本体の上面で弾弦部分の前縁側と後縁側に形成されるカット部は、円弧状にカットされていることを特徴とする大正琴。
【発明の詳細な説明】
【０００１】
【発明の属する技術分野】
本発明は大正琴に関し、特にピックの代わりに弓を用いて演奏する際に好適な大正琴に関する。
【０００２】
【従来の技術】
大正琴は、胴本体の上面に張設した複数本の弦と、各弦に対応して配設した複数本の鍵レバーとを備え、演奏時に任意の鍵レバーによって弦の隣合うフレット間の弦部分を押え込み、当該鍵レバーの演奏者から見て右側に位置するフレットと下駒間の共鳴孔に臨む弦部分をピック（義甲）によって弾弦することにより、その弦振動を胴本体によって拡大放射し所望の音程の音を発音させる弦楽器である。
【０００３】
しかし、最近では弦の振動を電気信号として取り出すようにした電気式大正琴や、ピックの代わりに弓を用いて演奏する大正琴（以下、弓弾き大正琴ともいう）も知られている。電気式大正琴は、電磁式ピックアップ装置を設け、マグネットによって弦の近傍に磁界を形成し、弦の振動による磁界変化に伴って発生する誘導起電力をピックアップコイルによってピックアップするものである（実開平５−３０８９６号公報、特開平１−２１１７９７号公報等）。弓弾き大正琴は、ピックで弾弦する代わりにバイオリンやチェロと同様に弓で弦を弾いて演奏するもので、弓操作の上手な奏者による演奏は、バイオリンまたはチェロの演奏を思わせる程すばらしいものである。
【０００４】
【発明が解決しようとする課題】
上記したように、大正琴は本来ピックで弦を弾いて演奏する弦楽器であるため、楽器自体が弓による演奏に適した形状に設計されておらず、このため弓で弾いて演奏する場合は演奏し難いという問題があった。すなわち、弓は、細長い木製の棹に繊維を束ねて形成した弓毛を張設したもので、弓を前後に弾いて弦（主として指板の両側に位置する第１、第４弦）を弓毛で擦るとき、他の弦に弓毛が接触しないようにするためには、指板の幅方向中央より演奏者側に位置する弦（第４弦）を弾くときは弓を上向き（先端が把持部側より上となる向き）に傾けて、一方指板の中央より演奏者側とは反対側に位置する弦（第１弦）を弾くときは弓を下向き（先端が把持部側より下となる向き）に傾けて演奏しなければならず、このため手前の弦を弾くときは、弓を保持している右手の指や弓毛が胴本体の上面に接触した、反対側の弦を弾くときは弓の先端が胴本体の上面に接触して弓の操作に支障をきたす。したがって、弓弾き大正琴は、一般の大正琴に比べてより高度な演奏テクニックと熟練が要求され、弓操作を容易に行える大正琴の開発が要望されている。
【０００５】
本発明は上記した従来の問題および要請に応えるべくなされたもので、その目的とするところは、弓による演奏を容易に行い得るようにした大正琴を提供することにある。
【０００６】
【課題を解決するための手段】
上記目的を達成するために本発明は、複数本の弦が張設される胴本体を備え、この胴本体の上面で弾弦部分の前縁側に演奏者側に向かって傾斜するカット部を形成するとともに、前記胴本体の上面で弾弦部分の後縁側に後方に向かって傾斜するカット部を形成したものである。
また、本発明は、胴本体の上面で弾弦部分の前縁側と後縁側に形成されるカット部の傾斜角度を、演奏者側に最も近い弦または最も遠い弦を弾くときの弓の水平面に対する傾き角度と略等しいかまたはこれより大きく設定したものである。
さらに、本発明は、胴本体の上面で弾弦部分の前縁側と後縁側に形成されるカット部を円弧状にカットしたものである。
【０００７】
本発明において、カット部は弓毛や右手指の逃げ部を形成し、弓による演奏を容易にする。カット部は凹みまたはえぐり部からなる。
【０００８】
【発明の実施の形態】
以下、本発明を図面に示す実施の形態に基づいて詳細に説明する。
図１は本発明に係る大正琴の一実施の形態を示す平面図、図２は正面図、図３は拡大右側面図、図４は図１のＩＶ−ＩＶ線拡大断面図、図５は弓の正面図である。本実施の形態は、電磁式ピックアップ装置を備えた電気式大正琴に適用した例を示している。なお、図２においては鍵キーの図示を省略している。
【０００９】
これらの図において、全体を符号１で示す電気式大正琴は、胴本体２と、この胴本体２の上方に張設された複数本の弦３と、各弦３を押え音程を決める複数の鍵キー４と、胴本体２の長手方向の中央で後端部側（演奏者側とは反対側）の上方に配設され前記各鍵キー４の基端部４ａを覆うとともに譜面台として用いられる天板５等を備えている。また、弦３の両端付近３ａ，３ｂを係止する下駒６および上駒７、指板９、各弦３の上駒７側端部が巻付けられる複数個の糸巻装置１０、電磁式ピックアップ装置１１、弓１２等を備えている。
【００１０】
前記胴本体２は、木材またはプラスチックによって断面形状が略矩形で左右方向に長い中実の板体に形成されている。また、長手方向中央部の幅が両端部より広く形成され、上面中央に前記指板９が弦３の下方に位置するように接合されている。指板９の上面には、複数本のフレット８が弦３と直交するように指板９の長手方向に所定の間隔をおいて植設されている。さらに、胴本体２の上面で右端部寄りには、上下面に貫通する穴１３が形成されるとともに、前記下駒６が前記穴１３より左側に配設され、この下駒６によって各弦３の一端部３ａを支持し、他端部３ｂを前記上駒７によって支持している。上駒７は、前記指板９の上面左端部に植設されている。
【００１１】
前記弦３は、下駒６と上駒７間の弦部分がＧ音の開放弦となるように調律されて前記糸巻装置１０と弦係止部材１４間に張設されており、鍵キー４によって押し下げられたとき、鍵キー４から下駒６間の弦部分が有効振動発音部となって振動し所定の音階の音を発音する。前記弦係止部材１４は、胴本体２の右側面に設けられ前記穴１３と連通する凹部１３Ａ内に配設されて弦３の一端を係止している。前記糸巻装置１０は、胴本体２の左端部に配設され、各弦３に所定の張力を付与している。なお、弦３は、一般的に鋼線と細巻線からなる３本の高音弦（第１〜第３弦）３A1〜３A3と、巻線からなる１本の低音弦（第４弦）３A4とで構成され、略同一高さに張設されている。
【００１２】
前記鍵キー４はステンレス等の金属板の打ち抜き加工によって製作され、指板９の上方に弦３の張設方向と直交するように、かつ前後２列に配設されている。鍵キー４の前端には合成樹脂等によって形成された音階ボタン１５が一体に設けられ、基端部４ａが軸１６によって上下方向に回動自在に軸支されている。音階ボタン１５の表面には、キー番号（図示せず）が印刷によって表示されている。また、鍵キー４は、引張りコイルばねからなる復帰用ばね１７によって上方向への復帰習性が付与されることにより、非演奏時において前記天板５の前端部下面に設けたフェルト等からなる上限ストッパ１８に圧接され係止されている。
【００１３】
前記軸１６は、前記天板５の下面に設けた逆Ｌ字形の支承部材１９によって支承されている。支承部材１９は前記復帰用ばね１７の一端を係止している。演奏時にある任意の鍵キー４の音階ボタン１５を左手指で押圧して当該鍵キー４を復帰用ばね１７に抗して図３において反時計方向に回動させると、当該鍵キー４の下面の長手方向中間部が全ての弦３を押圧し、当該鍵キー４に対応するフレット８の上面に押し付ける。なお、押鍵操作された鍵レバー４の音階ボタン１５から指を離すと、当該鍵レバー４は復帰用ばね１７の力により初期位置に回動復帰し弦３を解放する。
【００１４】
前記天板５は、取付部材２０を介して胴本体２の上方に略水平に配設されることにより、全ての鍵キー４の基端部４ａの上方を覆っている。取付部材２０は、側面視逆Ｌ字形に形成されることにより、垂直部２０Ａと、水平部２０Ｂとからなり、垂直部２０Ａの下端部が前記胴本体２の背面に複数個の止めねじ２１によって固定されている。水平部２０Ｂは、胴本体２の上方に位置して前記天板５が固定され、前端部下面に各鍵キー４を案内し左右方向の移動を規制するガイド部２０Ｃが一体に垂設されている。
【００１５】
さらに、前記胴本体２の上面で天板５の下駒６側端部付近には、前記電磁式ピックアップ装置１１が前記弦３の下方に位置するように配設されている。このピックアップ装置１１は、一方の磁極（例えばＮ極）が弦３と対向するように配設されたマグネット２５と、このマグネット２５を収納する絶縁材からなるケース２６と、マグネット２５の周囲に巻回された図示しないピックアップコイル等を備え、弦３の振動を電気信号に変換する。すなわち、演奏時に弦３を弾いて振動させると、当該弦３とマグネット２５との距離が変化するためマグネット２５の磁界が変化し、電磁誘導作用によってピックアップコイルに弦振動に応じた起電力が発生する。そして、この起電力は、増幅器によって増幅され、スピーカから演奏音として発音される。なお、このような電磁式ピックアップ装置１１は、従来周知である（例えば、実開平５−３０８９６号公報、特開平１−２１１７９７号公報等）。
【００１６】
前記弓１２は、図５に示すように背面側に反った木製の棹３０と、複数本の繊維を束ねて形成され前記棹３０の両端間に差し渡された１本の扁平な弓毛３１とで構成されている。このような弓１２による演奏は、弓１２を前後に弾き弦３（主として演奏者側とは反対側に位置する第１弦３Ａ１または演奏者側に位置する第４弦３Ａ４）の有効振動発音部のうち前記下駒６と前記ピックアップ装置１１との間の弦部分３Ｘ  を弓毛３１で擦って振動させることにより行われる。このとき、弓１２を水平に近い状態で保持して弓毛３１を弦３に接触させると、当該弦３以外の弦（例えば弦３Ａ２，３Ａ３）に対しても弓毛３１が接触してしまうため、指板９の幅方向中央より演奏者側に位置する第４弦３Ａ４を弾くときは弓１２を上向きに、すなわち棹３０の先端３０ａが把持部３０ｂ側より上になるように傾ける必要がある。一方、指板９の中央より演奏者側とは反対側に位置する第１弦３Ａ１を弾くときは弓１２を下向きに、すなわち棹３０の先端３０ａが把持部３０ｂ側より下になるように傾ける必要がある。弓１２によって演奏者に最も近い第４弦３Ａ４を弾くときは、弓１２を保持している右手指が胴本体２の上面２ａで前記弦部分３Ｘ  に対応する部分４０（以下弾弦部分という）の前縁４１に接触し、演奏者から最も遠い第１弦３Ａ１を弾くときは毛３１や棹３０の先端が前記弾弦部分４０の後縁４２に接触するため、弓１２による演奏に支障をきたす。
【００１７】
そこで、本発明においては前記弾弦部分４０でその前縁４１と後縁４２にカット部（凹みまたはえぐり部）４４，４５をそれぞれ形成し、右手指や棹３０の先端３０ａまたは弓毛３１が接触しないようしている。前縁４１側のカット部４４は、点Ａ（図１）を中心とする半径Ｒ（例えばＲ＝５０ｍｍ）の円弧状で、演奏者側に傾斜するように形成されることにより、胴本体２の上面２ａと前面２ｂを接続している。後縁４２側のカット部４５は、点Ｂを中心とする半径Ｒの円弧状で、後方に向かって傾斜するように形成されることにより、胴本体２の上面２ａと背面２ｃを接続している。後縁４２から点Ｂまでの距離は、前縁４１から点Ａまでの距離より大きい。また、カット部４４とカット部４５の傾斜角度αは略同一で、演奏者側に最も近い第１弦３Ａ４と最も遠い第１弦３Ａ１を弾くときの弓１２の水平面に対する傾き角度θと略等しいかまたはこれより大きいことが望ましい。
【００１８】
このように胴本体２の弾弦部分４０の前縁４１と後縁４２にカット部４４，４５を設けておくと、弓１２を傾けて弦３を弾いたとき、弓１２を把持している右手指や棹３０の先端３０ａまたは弓毛３１が胴本体２の上面２ａに接触するおそれが少なく、初心者であっても良好に演奏することができる。また、カット部４４，４５は、弓１２の代わりにピックで弾弦して演奏する場合も、何等演奏の支障になることがない。したがって、通常のピックによる演奏と弓による奏法を楽しむことができる。なお、通常演奏時においては、４本全ての弦３Ａ１〜３Ａ４をピックで弾いて演奏を行えばよい。
【００１９】
なお、上記した実施の形態においては、電磁式ピックアップ装置１１を備えた電気式大正琴１に適用した例を示したが、本発明はこれに何等限定されるものではなく、胴本体２が空洞で共鳴胴を構成する自然楽器としての大正琴にも適用することが可能である。
【００２０】
【発明の効果】
以上説明したように本発明に係る大正琴は、胴本体の上面で弾弦部分の前縁側に演奏者側に向かって傾斜するカット部を形成するとともに、前記胴本体の上面で弾弦部分の後縁側に後方に向かって傾斜するカット部を形成したので、弓を保持している右手の指や弓の先端または弓毛が弾弦部分に接触することがなく、良好に演奏することができ、楽器の演奏性を向上させることができる。
【図面の簡単な説明】
【図１】本発明に係る大正琴の一実施の形態を示す平面図である。
【図２】正面図である。
【図３】拡大右側面図である。
【図４】図１のＩＶ−ＩＶ線拡大断面図である。
【図５】弓の正面図である。
【符号の説明】
１…電気式大正琴、２…胴本体、３，３Ａ１〜３Ａ４…弦、４…鍵キー、５…天板、６…下駒、７…上駒、９…指板、１０…糸巻装置、１１…電磁式ピックアップ装置、１２…弓、３０…棹、３１…弓毛、４０…胴本体の弾弦部分、４１…胴本体の弾弦部分の前縁、４２…弾弦部分の後縁、４４，４５…カット部。
【図１】
0003613168.tif 000002
【図２】
0003613168.tif 000003
【図３】
0003613168.tif 000004
【図４】
0003613168.tif 000005
【図５】
0003613168.tif 000006